(57)【要約】【課題】電気的な不具合が発生する可能性を低くしつつ、画像を表示するための駆動回路を複数の表示領域で共用する。【解決手段】表示装置は、Ｍ本（Ｍは２以上の自然数）の第１信号線と、前記Ｍ本の第１信号線の各々に対応して設けられた第１画素と、Ｎ本（Ｎは２以上の自然数）の第２信号線と、前記Ｎ本の第２信号線の各々に対応して設けられた第２画素と、外力に応じて変形可能な第１領域に形成され、前記Ｍ本の第１信号線の少なくともいずれかと電気的に接続する第３信号線と、前記第３信号線を、前記Ｎ本の第２信号線のいずれかと電気的に接続させる第１接続制御回路と、前記第３信号線が、いずれかの前記第２信号線と電気的に接続されているときに、前記第１信号線に、前記第２画素を駆動するための信号を供給する駆動回路と、を有する。【選択図】図１
2020024332.tif 000002
【特許請求の範囲】
【請求項１】
Ｍ本（Ｍは２以上の自然数）の第１信号線と、
前記Ｍ本の第１信号線の各々に対応して設けられた第１画素と、
Ｎ本（Ｎは２以上の自然数）の第２信号線と、
前記Ｎ本の第２信号線の各々に対応して設けられた第２画素と、
外力に応じて変形可能な第１領域に形成され、前記Ｍ本の第１信号線の少なくともいずれかと電気的に接続する第３信号線と、
前記第３信号線を、前記Ｎ本の第２信号線のいずれかと電気的に接続させる第１接続制御回路と、
前記第３信号線が、いずれかの前記第２信号線と電気的に接続されているときに、前記第１信号線に、前記第２画素を駆動するための信号を供給する駆動回路と、
を有する表示装置。
【請求項２】
前記第１接続制御回路は、前記第３信号線を選択的に前記Ｎ本の第２信号線と電気的に接続させるデマルチプレクサを含む
請求項１に記載の表示装置。
【請求項３】
前記Ｍ本の第１信号線を選択的に前記第３信号線と電気的に接続させるマルチプレクサを有する
請求項１または請求項２に記載の表示装置。
【請求項４】
前記Ｍ本の第１信号線のうちの一部を前記第３信号線と電気的に接続させるスイッチを有し、
前記Ｍ本の第１信号線のうちの他の前記第１信号線は、前記第３信号線と電気的に接続しない
請求項１または請求項２に記載の表示装置。
【請求項５】
前記第１接続制御回路は、前記第３信号線から供給された前記信号を保持し、前記第２信号線に供給するメモリを含む
請求項１に記載の表示装置。
【請求項６】
前記第１領域は、前記第１画素が配置された第１表示領域と、前記第２画素が配置された第２表示領域との間に位置する
請求項１から請求項５のいずれか１項に記載の表示装置。
【請求項７】
前記駆動回路は、
前記第３信号線が前記Ｎ本の第２信号線のいずれとも電気的に接続されていないときに、前記第１信号線に、前記第１画素を駆動するための信号を供給する
請求項１から請求項６のいずれか１項に記載の表示装置。
【請求項８】
Ｌ本（Ｌは２以上の自然数）の第４信号線と、
前記Ｌ本の第４信号線の各々に対応して設けられた第３画素と、
外力に応じて変形可能な第２領域に形成され、前記Ｍ本の第１信号線の少なくともいずれかと電気的に接続する第５信号線と、
前記第５信号線を、前記Ｌ本の第４信号線のいずれかの前記第４信号線と電気的に接続させる第２接続制御回路と、
を有し、
前記駆動回路は、
前記第５信号線がいずれかの前記第４信号線と電気的に接続されているときに、前記第１信号線に、前記第３画素を駆動するための信号を供給する
請求項１から請求項７のいずれか１項に記載の表示装置。
【請求項９】
前記第１領域および前記第２領域は、前記第１画素が配置された第１表示領域を挟む
請求項８に記載の表示装置。
【請求項１０】
前記第３信号線は、前記Ｍ本の信号線および前記Ｎ本の信号線のいずれよりも幅広である
請求項１から請求項９のいずれか１項に記載の表示装置。
【請求項１１】
前記第３信号線は、前記第１信号線または前記第２信号線と交差する方向に延在する部分を有する
請求項１から請求項９のいずれか１項に記載の表示装置。
【請求項１２】
前記第３信号線は、第１部分と、前記第１部分に並列接続された第２部分とを含む
請求項１から請求項９のいずれか１項に記載の表示装置。
【請求項１３】
前記駆動回路は、映像信号を出力する
請求項１から請求項１２のいずれか１項に記載の表示装置。
【請求項１４】
ユーザの身体の部位に装着される装着部を有する
請求項１から請求項１３のいずれか１項に記載の表示装置。
【発明の詳細な説明】
【技術分野】
【０００１】
本発明の一実施形態は、表示装置に関する。
【背景技術】
【０００２】
複数の表示領域を有する表示装置が従来から提案されている（例えば特許文献１から特許文献４）。かかる表示装置によれば、表示領域を１つだけ有する場合に比べて、ユーザに提示することのできる情報の量が増加する。
【先行技術文献】
【特許文献】
【０００３】
【特許文献１】特開２０１４−０２２９５８号公報
【特許文献２】特開２００７−０８２０７４号公報
【特許文献３】国際公開第２００８／１２９６４９号
【特許文献４】特許第４８５２１４６号
【発明の概要】
【発明が解決しようとする課題】
【０００４】
特許文献１から特許文献４に記載の表示装置は、複数の表示領域に画像を表示するために、表示領域ごとに独立した駆動回路を有する。
【０００５】
これに対し、本発明は、電気的な不具合が発生する可能性を低くしつつ、画像を表示するための駆動回路を複数の表示領域で共用することを目的の一つとする。また、複数の表示領域の間に、より曲げやすい領域を設け、装置の形状の自由度を上げることを目的の一つとする。
【課題を解決するための手段】
【０００６】
本発明の一態様は、表示装置は、Ｍ本（Ｍは２以上の自然数）の第１信号線と、前記Ｍ本の第１信号線の各々に対応して設けられた第１画素と、Ｎ本（Ｎは２以上の自然数）の第２信号線と、前記Ｎ本の第２信号線の各々に対応して設けられた第２画素と、外力に応じて変形可能な第１領域に形成され、前記Ｍ本の第１信号線の少なくともいずれかと電気的に接続する第３信号線と、前記第３信号線を、前記Ｎ本の第２信号線のいずれかと電気的に接続させる第１接続制御回路と、前記第３信号線が、いずれかの前記第２信号線と電気的に接続されているときに、前記第１信号線に、前記第２画素を駆動するための信号を供給する駆動回路と、を有する表示装置が提供される。
【図面の簡単な説明】
【０００７】
【図１】本発明の第１実施形態に係る表示装置の外観の構成を示す斜視図である。
【図２】本発明の第１実施形態に係る表示装置の側面図である。
【図３】本発明の第１実施形態に係る表示装置の電気的な構成を説明する図である。
【図４】本発明の第１実施形態に係る画素の等価回路の一例を示す図である。
【図５】本発明の第１実施形態に係る第１データ線と第２データ線との電気的な接続を説明する図である。
【図６】本発明の第１実施形態に係る第１データ線と第２データ線との間の信号の伝送を説明する図である。
【図７】本発明の第１実施形態に係る第１表示部の制御を説明する図である。
【図８】本発明の第１実施形態に係る第２表示部の制御を説明する図である。
【図９】本発明の第２実施形態に係る表示装置のメモリ周辺の構成を説明する図である。
【図１０】本発明の第３実施形態に係る第１データ線と第２データ線との電気的な接続を説明する図である。
【図１１】本発明の第３実施形態に係る第２表示部の制御を説明する図である。
【図１２】本発明の第４実施形態に係る表示装置の電気的な構成を説明する図である。
【図１３】本発明の一変形例に係る接続部の信号線の構成を説明する図である。
【図１４】本発明の一変形例に係る接続部の信号線の構成を説明する図である。
【図１５】本発明の一変形例に係る接続部の信号線の構成を説明する図である。
【発明を実施するための形態】
【０００８】
以下に、本発明の各実施の形態について図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【０００９】
また、本明細書と各図において、既出の図に関して前述したものと同様の要素には、同一の符号を付して、詳細な説明を適宜省略することがある。さらに各要素に対する「第１」、「第２」と付記された文字は、各要素を区別するために用いられる便宜的な標識であり、特段の説明がない限りそれ以上の意味を有さない。
【００１０】
また、本明細書において、ある部材又は領域が他の部材又は領域の「上に（又は下に）」あるとすることができる。場合、特段の限定がない限りこれは他の部材又は領域の直上（又は直下）にある場合のみでなく他の部材又は領域の上方（又は下方）にある場合を含み、すなわち、他の部材又は領域の上方（又は下方）において間に別の構成要素が含まれている場合も含む。なお、以下の説明では、特に断りのない限り、断面視においては、基板に対して表示素子が配置される側を「上」又は「上面」といい、その逆を「下」又は「下面」として説明する。
【００１１】
また、本明細書において「αはＡ、Ｂ又はＣを含む」、「αはＡ，Ｂ及びＣのいずれかを含む」、「αはＡ，Ｂ及びＣからなる群から選択される一つを含む」、といった表現は、特に明示が無い限り、αはＡ〜Ｃの複数の組み合わせを含む場合を排除しない。さらに、これらの表現は、αが他の要素を含む場合も排除しない。
【００１２】
［第１実施形態］
図１は、本発明の第１実施形態に係る表示装置１の外観の構成を示す斜視図である。図２は、表示装置１を図１の矢印Ａ方向に見たときの側断面図である。図２では、装着部７０およびベゼル１５を破線で示す。表示装置１は、腕時計型またはリストバンド型の表示装置である。表示装置１は、第１表示部１０と、第２表示部２０と、接続部３０と、制御基板４０と、ＦＰＣ（Ｆｌｅｘｉｂｌｅ  Ｐｒｉｎｔｅｄ  Ｃｉｒｃｕｉｔｓ）５０と、基板６０と、ベゼル１５と、装着部（ベルト）７０と、を有する。
【００１３】
第１表示部１０、第２表示部２０および接続部３０は、基板６０の上に形成されている。基板６０は、例えば、樹脂などを用いた柔軟性を有する基板である。この場合、基板６０は、外力に応じて変形する（例えば、折り畳むまたは撓む）ことが可能である。
【００１４】
第１表示部１０は、第１表示領域１０２に画像（静止画または動画）を表示する。第２表示部２０は、第１表示部１０とは別の表示部であり、第２表示領域２０２に画像を表示する。第１表示部１０はメイン画面、第２表示部２０はサブ画面ような関係であるが、この関係に限られない。第１表示領域１０２および第２表示領域２０２は、ここでは矩形の領域であるが、これに限られない。
【００１５】
接続部３０は、第１表示部１０と第２表示部２０とを電気的に接続する複数の信号線（後述する信号線３１０）を含む。基板６０のうちの接続部３０が形成された第１領域６０２は、画像が表示されない非表示領域である。第１領域６０２は、例えば、制御基板４０の角部またはその周辺の領域に重なる。
【００１６】
制御基板４０は、表示装置１を制御する制御回路が実装された基板である。制御基板４０は、例えばＰＣＢ基板である。制御基板４０は、例えば第１表示部１０の裏面側に折り返されて、ベゼル１５の内部に格納されている。制御基板４０は、各種信号（例えば、後述するタイミング制御信号、制御信号、および映像信号）、および電源電位を出力する。
【００１７】
ＦＰＣ５０は、制御基板４０と基板６０とを物理的にかつ電気的に接続するフレキシブル配線基板である。ＦＰＣ５０の一端側はコネクタ（図示略）を介して制御基板４０と接続され、他端側は圧着などにより基板６０と接続される。ＦＰＣ５０は、制御基板４０から供給された各種信号および電源電位を、第１表示部１０および第２表示部２０に出力する。装着部７０は、柔軟性を有する素材で形成された帯状の部材である。装着部（ベルト）７０は、ユーザの身体の部位、より詳細には、ユーザの腕（手首）に巻き回されることにより装着される。
【００１８】
図３は、表示装置１の電気的な構成を説明する図である。図３には、基板６０を上から見た図が示されている。図３に示すように、基板６０の上面に平行な第１方向（ここでは短辺方向）を「Ｘ方向」とし、第１方向に交差（ここでは直交）する第２方向（ここでは長辺方向）を「Ｙ方向」とする。
【００１９】
第１表示部１０は、第１走査線駆動回路１１０と、データ線駆動回路１２０と、複数の第１走査線１３０と、複数の第１データ線１４０と、複数の第１画素１５０と、複数のマルチプレクサ１６０と、を有する。第１走査線駆動回路１１０、データ線駆動回路１２０、および複数のマルチプレクサ１６０は、信号線およびＦＰＣ５０を介して制御基板４０と電気的に接続される。なお、図３には、複数本の第１走査線１３０、複数本の第１データ線１４０、複数の第１画素１５０、および複数のマルチプレクサ１６０のそれぞれの一部のみが示されている。
【００２０】
第１走査線駆動回路１１０、およびデータ線駆動回路１２０は、第１表示領域１０２の周辺領域に設けられている。具体的には、第１走査線駆動回路１１０は、第１表示領域１０２から見てＸ方向に配置され、Ｙ方向に延びている。データ線駆動回路１２０は、第１表示領域１０２から見てＹ方向の反対方向に配置され、Ｘ方向に延びている。
【００２１】
複数本の第１走査線１３０は、第１表示領域１０２において、Ｘ方向に沿って延びている。複数本の第１データ線１４０は、第１表示領域１０２において、複数本の第１走査線１３０と交差するようにＹ方向に沿って延びている。第１画素１５０は、複数本の第１走査線１３０と、複数の第１データ線１４０との各交差に対応して設けられている。第１表示領域１０２において、複数の第１画素１５０がマトリクス状に配置されている。第１画素１５０は、例えば、赤（Ｒ）、緑（Ｇ）、及び青（Ｂ）のうちのいずれか一の色で発光する。ただし、第１画素１５０は、これら以外の色で発光してもよい。第１走査線駆動回路１１０は、制御基板４０から入力されるタイミング信号に応じて第１走査線１３０を順番に選択し、選択した第１走査線１３０に走査信号を供給する。データ線駆動回路１２０は、複数の第１データ線１４０を所定の順番で選択し、制御基板４０から入力される映像信号を、選択した第１データ線１４０に供給する。データ線駆動回路１２０が供給する映像信号は、特に断りのない限り、アナログおよびデジタルのいずれの形式であってもよい。
【００２２】
図４は、第１画素１５０の等価回路の一例を示す図である。第１画素１５０は、発光素子１５２と、画素ＴＦＴ（ｔｈｉｎ−ｆｉｌｍ−ｔｒａｎｓｉｓｔｏｒ）１５４と、駆動ＴＦＴ１５６と、保持容量１５８と、を含む。発光素子１５２は、有機発光ダイオード（Ｏｒｇａｎｉｃ  Ｌｉｇｈｔ−Ｅｍｉｔｔｉｎｇ  Ｄｉｏｄｅ：ＯＬＥＤ）を含む。画素ＴＦＴ１５４のゲートは、第１走査線１３０と電気的に接続される。第１走査線１３０はＸ方向に並ぶ複数の画素ＴＦＴ１５４のゲートと共通に接続される。画素ＴＦＴ１５４のソース又はドレインの一方は第１データ線１４０に電気的に接続され、他方は駆動ＴＦＴ１５６のゲートと電気的に接続される。第１データ線１４０は画素の垂直方向の並び（画素列）ごとに設けられ、当該画素列に並ぶ複数の画素ＴＦＴ１５４と共通に接続される。駆動ＴＦＴ１５６のチャネル導電型は例えばｎ型とされ、駆動ＴＦＴ１５６のソースが発光素子１５２のアノードと電気的に接続され、ドレインが電源線ＶＬに電気的に接続される。発光素子１５２のカソードは全画素に共通の電極で構成され、接地電位または負電位に固定される。電源線ＶＬには発光素子１５２のカソード電位との間に正電圧を生じる電位が加わる。
【００２３】
図３に戻って説明する。マルチプレクサ１６０が、Ｍ本（Ｍは２以上の自然数）の第１データ線１４０（第１信号線）の各々に対応して設けられている。マルチプレクサ１６０は、制御基板４０から入力される制御信号に応じて、Ｍ本の第１データ線１４０を、選択的に、接続部３０のいずれか１本の信号線３１０と電気的に接続させる。本実施形態では、Ｍ＝３である。このため、接続部３０における信号線３１０の数は、第１表示部１０が有する第１データ線１４０の数の１／３である。すなわち、第１領域６０２における配線密度は、第１表示領域１０２における配線密度よりも低い。
【００２４】
第２表示部２０は、第２走査線駆動回路２１０と、複数の第２走査線２２０と、複数の第２データ線２３０と、複数の第２画素２４０と、複数のデマルチプレクサ２５０と、を有する。第２走査線駆動回路２１０は、接続部３０の信号線３２０を介して、第１走査線駆動回路１１０と電気的に接続する。信号線３２０は、第１領域６０２を通過する。複数のデマルチプレクサ２５０は、信号線およびＦＰＣ５０を介して制御基板４０と電気的に接続される。なお、図３には、複数本の第２走査線２２０、複数本の第２データ線２３０、複数の第２画素２４０、および複数のデマルチプレクサ２５０のそれぞれの一部のみが示されている。
【００２５】
第２走査線駆動回路２１０は、第２表示領域２０２の周辺領域に設けられている。第２走査線駆動回路２１０は、第２表示領域２０２から見てＸ方向に配置され、Ｙ方向に延びている。
【００２６】
複数本の第２走査線２２０は、第２表示領域２０２において、Ｘ方向に延びている。複数本の第２データ線２３０は、第２表示領域２０２において、複数本の第２走査線２２０と交差するようにＹ方向に延びている。第２画素２４０は、複数本の第２走査線２２０と、複数の第２データ線２３０との各交差に対応して設けられている。第２表示領域２０２においては、複数の第２画素２４０がマトリクス状に配置されている。第２画素２４０の構成は、第１画素１５０の構成と同じでよい。
【００２７】
第２走査線駆動回路２１０は、第１走査線駆動回路１１０とは異なるタイミングに、第２走査線２２０を選択する。第２走査線駆動回路２１０は、例えば、第１走査線駆動回路１１０によってすべての第１走査線１３０が選択された後、複数本の第２走査線２２０を順番に選択し、選択した第２走査線２２０に走査信号を供給する。第１走査線駆動回路１１０は、例えば、すべての第１走査線１３０を選択したタイミングで、信号線３２０に所定の信号を出力する。第２走査線駆動回路２１０は、この信号を受けたことを契機として、第２走査線２２０の選択を開始する。第２データ線２３０に供給されるべき映像信号は、第１データ線１４０、マルチプレクサ１６０、信号線３１０、およびデマルチプレクサ２５０を介して、第２データ線２３０に供給される。第２データ線２３０への映像信号の供給の方法については後述する。
【００２８】
デマルチプレクサ２５０は、Ｎ本（Ｎは２以上の自然数）の第２データ線２３０（第２信号線）の各々に対応して設けられている。デマルチプレクサ２５０は、接続部３０に信号線３１０を、選択的に、Ｎ本の第２データ線２３０と電気的に接続させる第１接続制御回路である。本実施形態では、Ｎ＝３である。このため、接続部３０における信号線３１０の数は、第２表示部２０が有する第２データ線２３０の数の１／３である。すなわち、第１領域６０２における配線密度は、第２表示領域２０２における配線密度よりも低い。
【００２９】
図５は、第１データ線１４０と第２データ線２３０との電気的な接続を説明する図である。以下の説明では、第１データ線１４０、マルチプレクサ１６０、デマルチプレクサ２５０、および第２データ線２３０の各々について、Ｙ方向において左端からｉ番目に位置することを示す場合は、符号の末尾に「（ｉ）」（ｉは、自然数）を付して表す。図５には、マルチプレクサ１６０（１）、マルチプレクサ１６０（２）、デマルチプレクサ２５０（１）、およびデマルチプレクサ２５０（２）が示してある。
【００３０】
マルチプレクサ１６０（１）は、スイッチ１６２（１）、スイッチ１６２（２）、およびスイッチ１６２（３）を含む。スイッチ１６２（１）の一端は、第１データ線１４０（１）と電気的に接続される。スイッチ１６２（２）の一端は、第１データ線１４０（２）と電気的に接続される。スイッチ１６２（３）の一端は、第１データ線１４０（３）と電気的に接続される。スイッチ１６２（１）、スイッチ１６２（２）およびスイッチ１６２（３）の他端は、信号線３１０（１）と電気的に接続される。また、マルチプレクサ１６０（２）は、スイッチ１６２（４）、スイッチ１６２（５）、およびスイッチ１６２（６）を含む。スイッチ１６２（４）の一端は、第１データ線１４０（４）と電気的に接続される。スイッチ１６２（５）の一端は、第１データ線１４０（５）と電気的に接続される。スイッチ１６２（６）の一端は、第１データ線１４０（６）と電気的に接続される。スイッチ１６２（４）、スイッチ１６２（５）およびスイッチ１６２（６）の他端は、信号線３１０（２）と電気的に接続される。スイッチ１６２（１），１６２（４）は制御信号ＭＵＸ１に応じてオンオフが切り替わる。スイッチ１６２（２），１６２（５）は制御信号ＭＵＸ２に応じてオンオフが切り替わる。スイッチ１６２（３），１６２（６）は制御信号ＭＵＸ３に応じてオンオフが切り替わる。
【００３１】
一般化すると、マルチプレクサ１６０（ｉ）は、スイッチ１６２（３ｉ−２）、スイッチ１６２（３ｉ−１）、およびスイッチ１６２（３ｉ）を含む。スイッチ１６２（３ｉ−２）の一端は、第１データ線１４０（３ｉ−２）と電気的に接続される。スイッチ１６２（３ｉ−１）の一端は、第１データ線１４０（３ｉ−１）と電気的に接続される。スイッチ１６２（３ｉ）の一端は、第１データ線１４０（３ｉ）と電気的に接続される。スイッチ１６２（３ｉ−２）、スイッチ１６２（３ｉ−１）およびスイッチ１６２（３ｉ）の他端は、信号線３１０（ｉ）と電気的に接続される。スイッチ１６２（３ｉ−２）は制御信号ＭＵＸ１に応じてオンオフが切り替わる。スイッチ１６２（３ｉ−１）は制御信号ＭＵＸ２に応じてオンオフが切り替わる。スイッチ１６２（３ｉ）は制御信号ＭＵＸ３に応じてオンオフが切り替わる。
【００３２】
デマルチプレクサ２５０（ｉ）は、スイッチ２５２（３ｉ−２）、スイッチ２５２（３ｉ−１）、およびスイッチ２５２（３ｉ）を含む。スイッチ２５２（３ｉ−２）、スイッチ２５２（３ｉ−１）およびスイッチ２５２（３ｉ）の一端は、信号線３１０（ｉ）と電気的に接続される。スイッチ２５２（３ｉ−２）の他端は、第２データ線２３０（３ｉ−２）と電気的に接続される。スイッチ２５２（３ｉ−１）の他端は、第２データ線２３０（３ｉ−１）と電気的に接続される。スイッチ２５２（３ｉ）の他端は、第２データ線２３０（３ｉ）と電気的に接続される。スイッチ２５２（３ｉ−２）は制御信号ＤＥＭＵＸ１に応じてオンオフが切り替わる。スイッチ２５２（３ｉ−１）は制御信号ＤＥＭＵＸ２に応じてオンオフが切り替わる。スイッチ２５２（３ｉ）は制御信号ＤＥＭＵＸ３に応じてオンオフが切り替わる。
【００３３】
図６は、第１データ線１４０と第２データ線２３０との間の信号の伝送を説明する図である。図６には、マルチプレクサ１６０（ｉ）およびデマルチプレクサ２５０（ｉ）のうち、ｉ＝１およびｉ＝２に相当する部分のみが示されている。ｉを用いて一般化して説明すると、マルチプレクサ１６０のスイッチ１６２（ｉ）が、ｎチャンネル型のトランジスタ３０２（ｉ）で構成されている。また、デマルチプレクサ２５０のスイッチ２５２（ｉ）が、ｎチャンネル型のトランジスタ４０２（ｉ）で構成されている。各トランジスタ３０２（ｉ）のゲートは、オンオフを制御する制御端子に相当する。トランジスタ３０２（３ｉ−２）のゲートに制御信号ＭＵＸ１が、トランジスタ３０２（３ｉ−１）のゲートに制御信号ＭＵＸ２が、トランジスタ３０２（３ｉ）のゲートに制御信号ＭＵＸ３が、それぞれ入力される。制御信号ＭＵＸ１がハイレベルのときトランジスタ３０２（３ｉ−２）はオンし、制御信号ＭＵＸ２がハイレベルのときトランジスタ３０２（３ｉ−１）はオンし、制御信号ＭＵＸ３がハイレベルのときトランジスタ３０２（３ｉ）はオンする。
【００３４】
トランジスタ３０２（ｉ）のドレインには、第１データ線１４０（ｉ）に供給された映像信号Ｉｎ（ｉ）が入力される。「映像信号Ｉｎ（ｉ）」は、ｉ番目のデータ線に供給すべきデータ信号であることを示す。マルチプレクサ１６０（ｉ）は、映像信号Ｉｎ（３ｉ−２）、Ｉｎ（３ｉ−１）、およびＩｎ（３ｉ）のいずれか一つを信号線３１０（ｉ）に供給する。信号線３１０（ｉ）に供給される映像信号を「Ｄ（ｉ）」とする。マルチプレクサ１６０（ｉ）は、制御信号ＭＵＸ１がハイレベルのときはＩｎ（３ｉ−２）を、制御信号ＭＵＸ２がハイレベルのときはＩｎ（３ｉ−１）を、制御信号ＭＵＸ３がハイレベルのときはＩｎ（３ｉ）を、信号Ｄ（ｉ）として供給する。
【００３５】
デマルチプレクサ２５０において、各トランジスタ４０２（ｉ）のゲートは、スイッチのオンオフを制御する制御端子に相当する。トランジスタ４０２（３ｉ−２）のゲートには制御信号ＤＥＭＵＸ１が、トランジスタ４０２（３ｉ−１）のゲートには制御信号ＤＥＭＵＸ２が、トランジスタ４０２（３ｉ）のゲートには制御信号ＤＥＭＵＸ３が、それぞれ入力される。制御信号ＤＥＭＵＸ１がハイレベルのときトランジスタ４０２（３ｉ−２）はオンし、制御信号ＤＥＭＵＸ２がハイレベルのときトランジスタ４０２（３ｉ−１）はオンし、制御信号ＤＥＭＵＸ３がハイレベルのときトランジスタ４０２（３ｉ）はオンする。
【００３６】
デマルチプレクサ２５０（ｉ）のトランジスタ４０２（３ｉ−２）、トランジスタ４０２（３ｉ−１）、およびトランジスタ４０２（３ｉ）のドレインには、信号線３１０（ｉ）からの映像信号Ｄ（ｉ）が入力される。ここで、トランジスタ４０２（３ｉ−２）の出力信号をＯｕｔ（３ｉ−２）、トランジスタ４０２（３ｉ−１）の出力信号をＯｕｔ（３ｉ−１）、トランジスタ４０２（３ｉ）の出力信号をＯｕｔ（３ｉ）とする。この場合、デマルチプレクサ２５０（ｉ）は、制御信号ＤＥＭＵＸ１がハイレベルのときは、映像信号Ｄ（ｉ）を、出力信号Ｏｕｔ（３ｉ−２）として第２データ線２３０（３ｉ−２）に供給する。デマルチプレクサ２５０（ｉ）は、制御信号ＤＥＭＵＸ２がハイレベルのときは、映像信号Ｄ（ｉ）を、出力信号Ｏｕｔ（３ｉ−１）として第２データ線２３０（３ｉ−１）に供給する。デマルチプレクサ２５０（ｉ）は、制御信号ＤＥＭＵＸ３がハイレベルのときは、映像信号Ｄ（ｉ）を、出力信号Ｏｕｔ（３ｉ）として第２データ線２３０（３ｉ）に供給する。
【００３７】
なお、第２データ線２３０（ｉ）には、寄生容量２３２（ｉ）が存在する。寄生容量２３２（ｉ）は、一端が第２データ線２３０（ｉ）と電気的に接続され、他端が接地された容量性素子と等価である。寄生容量２３２（ｉ）は、第２データ線２３０（ｉ）を流れる映像信号を保持する保持容量として機能する。
【００３８】
次に、表示装置１の表示制御を説明する。まず、図７を用いて、第１表示部１０の表示制御を説明する。以下では、任意の１本の第１走査線１３０が選択されたときの表示制御をするが、各第１走査線１３０が選択されたときの表示制御は、映像信号が異なる点を除いて同じである。
【００３９】
第１表示部１０の表示を制御する場合、制御基板４０は、制御信号ＭＵＸ１，ＭＵＸ２，ＭＵＸ３、および制御信号ＤＥＭＵＸ１，ＤＥＭＵＸ２，ＤＥＭＵＸ３をすべてローレベルとする。
【００４０】
そして、制御基板４０は、各第１画素１５０を駆動するための映像信号を、データ線駆動回路１２０に出力させる。データ線駆動回路１２０は、第１データ線１４０を１本ずつ選択して、映像信号を出力する。図７の例では、データ線駆動回路１２０は、第１データ線１４０を順次駆動し、時刻ｔ１からｔ２において映像信号Ｉｎ（１）を、時刻ｔ２からｔ３において映像信号Ｉｎ（２）を、時刻ｔ３からｔ４において映像信号Ｉｎ（３）を、時刻ｔ４からｔ５において映像信号Ｉｎ（４）を、時刻ｔ５からｔ６において映像信号Ｉｎ（５）を、時刻ｔ６からｔ７において映像信号Ｉｎ（６）を出力する。マルチプレクサ１６０のスイッチ１６２はすべてオフであるから、第１表示部１０の表示を制御するための映像信号は、第２表示部２０には供給されない。
【００４１】
次に、図８を用いて、第２表示部２０の表示制御を説明する。以下では、任意の一の第２走査線２２０が選択されたときの表示制御をするが、各第２走査線２２０が選択されたときの表示制御は、映像信号が異なる点を除いて同じである。また、表示制御の開始前においては、制御信号ＭＵＸ１，ＭＵＸ２，ＭＵＸ３、および制御信号ＤＥＭＵＸ１，ＤＥＭＵＸ２，ＤＥＭＵＸ３はすべてローレベルである。
【００４２】
まず、制御基板４０は、時刻ｔ１１において、データ線駆動回路１２０に、第１データ線１４０（１）へ映像信号Ｉｎ（１）を、第１データ線１４０（２）へＩｎ（２）を、第１データ線１４０（３）へＩｎ（３）をパラレルに出力させる。また、制御基板４０は、制御信号ＭＵＸ１をハイレベルに切り替える。この場合、マルチプレクサ１６０は、第１データ線１４０（１）を介して供給された映像信号Ｉｎ（１）を、映像信号Ｄ（１）として、信号線３１０（１）に供給する。次に、制御基板４０は、時刻ｔ１２において制御信号ＤＥＭＵＸ１をハイレベルに切り替える。この場合、デマルチプレクサ２５０は、信号線３１０（１）から供給された映像信号Ｄ（１）を、出力信号Ｏｕｔ（１）として、第２データ線２３０（１）に供給する。出力信号Ｏｕｔ（１）は、第２データ線２３０（１）に並列な寄生容量２３２（１）で保持される。そして、制御基板４０は、時刻ｔ１３において制御信号ＤＥＭＵＸ１をローレベルに切り替える。
【００４３】
時刻ｔ１４において、制御基板４０は、制御信号ＭＵＸ２をハイレベルに切り替える。この場合、マルチプレクサ１６０は、第１データ線１４０を介して供給された映像信号Ｉｎ（２）を、映像信号Ｄ（１）として供給する。制御基板４０は、時刻ｔ１５において制御信号ＤＥＭＵＸ２をハイレベルに切り替える。この場合、デマルチプレクサ２５０は、信号線３１０（１）から供給された映像信号Ｄ（１）を、出力信号Ｏｕｔ（２）として、第２データ線２３０（２）に供給する。出力信号Ｏｕｔ（２）は、第２データ線２３０（２）に並列な寄生容量２３２（２）で保持される。そして、制御基板４０は、時刻ｔ１６において制御信号ＤＥＭＵＸ２をローレベルに切り替える。
【００４４】
時刻ｔ１７において、制御基板４０は、制御信号ＭＵＸ３をハイレベルに切り替える。この場合、マルチプレクサ１６０は、第１データ線１４０を介して供給された映像信号Ｉｎ（３）を、映像信号Ｄ（１）として供給する。制御基板４０は、時刻ｔ１８において制御信号ＤＥＭＵＸ３をハイレベルに切り替える。この場合、デマルチプレクサ２５０は、信号線３１０（１）から供給された映像信号Ｄ（１）を、出力信号Ｏｕｔ（３）として、第２データ線２３０（３）に供給する。出力信号Ｏｕｔ（３）は、第２データ線２３０（３）に並列な寄生容量２３２（３）で保持される。そして、制御基板４０は、時刻ｔ１９において制御信号ＤＥＭＵＸ３をローレベルに切り替える。
【００４５】
次に、制御基板４０は、時刻ｔ２０において、データ線駆動回路１２０に映像信号Ｉｎ（１），Ｉｎ（２），Ｉｎ（３）の出力を停止させ、第１データ線１４０（４）へ映像信号Ｉｎ（４）を、第１データ線１４０（５）へＩｎ（５）を、第１データ線１４０（６）へＩｎ（６）をパラレルに出力させる。また、制御基板４０は、制御信号ＭＵＸ１をハイレベルに切り替える。この場合、マルチプレクサ１６０は、第１データ線１４０を介して供給された映像信号Ｉｎ（４）を、映像信号Ｄ（２）として、信号線３１０（２）に供給する。制御基板４０は、時刻ｔ２１において、制御信号ＤＥＭＵＸ１をハイレベルに切り替える。この場合、デマルチプレクサ２５０は、信号線３１０（２）から供給された映像信号Ｄ（２）を、出力信号Ｏｕｔ（４）として、第２データ線２３０（４）に供給する。出力信号Ｏｕｔ（４）は、第２データ線２３０（４）に並列な寄生容量２３２（４）で保持される。そして、制御基板４０は、時刻ｔ２２において、制御信号ＤＥＭＵＸ１をローレベルに切り替える。
【００４６】
次に、制御基板４０は、時刻ｔ２３において、制御信号ＭＵＸ２をハイレベルに切り替える。この場合、マルチプレクサ１６０は、データ線駆動回路１２０から第１データ線１４０を介して供給された映像信号Ｉｎ（５）を、映像信号Ｄ（２）として、信号線３１０（２）に供給する。制御基板４０は、時刻ｔ２４において、制御信号ＤＥＭＵＸ２をハイレベルに切り替える。この場合、デマルチプレクサ２５０は、信号線３１０（２）から供給された映像信号Ｄ（２）を、出力信号Ｏｕｔ（５）として、第２データ線２３０（５）に供給する。出力信号Ｏｕｔ（５）は、第２データ線２３０（５）に並列な寄生容量２３２（５）で保持される。そして、制御基板４０は、時刻ｔ２５において、制御信号ＤＥＭＵＸ２をローレベルに切り替える。
【００４７】
次に、制御基板４０は、時刻ｔ２６において、制御信号ＭＵＸ３をハイレベルに切り替える。この場合、マルチプレクサ１６０は、データ線駆動回路１２０から第１データ線１４０を介して供給された映像信号Ｉｎ（６）を、映像信号Ｄ（２）として、信号線３１０（２）に供給する。制御基板４０は、時刻ｔ２７において、制御信号ＤＥＭＵＸ３をハイレベルに切り替える。この場合、デマルチプレクサ２５０は、信号線３１０（２）から供給された映像信号Ｄ（２）を、出力信号Ｏｕｔ（６）として、第２データ線２３０（６）に供給する。出力信号Ｏｕｔ（６）は、第２データ線２３０（６）に並列な寄生容量２３２（６）で保持される。そして、制御基板４０は、時刻ｔ２８において制御信号ＤＥＭＵＸ３をローレベルに切り替える。制御基板４０は、時ｔ２９において制御信号ＭＵＸ３をローレベルに切り替え、データ線駆動回路１２０に映像信号Ｉｎ（４），Ｉｎ（５），Ｉｎ（６）の出力を停止させる。
【００４８】
以降においても、制御基板４０は、共通のマルチプレクサ１６０に接続される第１データ線１４０にパラレルに映像信号を供給して、上述した表示制御を行う。
【００４９】
以上説明した第１実施形態によれば、第１表示部１０と第２表示部２０とでデータ線駆動回路１２０が共用される。これにより、表示領域ごとに独立したデータ線駆動回路およびＦＰＣが設けられる場合に比べて、表示装置の低コスト化が期待できる。また、第１領域６０２における配線密度は、第１表示領域１０２および第２表示領域２０２における配線密度よりも低い。このため、表示装置１が第１領域６０２を通過する位置で変形させられても、信号線３１０の断線または接続不良といった電気的な不具合は発生しにくくなる。また、第１表示領域１０２と第２表示領域２０２との間の領域には、データ線駆動回路が配置されないため、非表示領域の狭小化の効果が期待できる。これにより、第１表示領域１０２と第２表示領域２０２との表示の連続性を確保しやすくなる。
【００５０】
［第２実施形態］
本実施形態の表示装置１は、デマルチプレクサ２５０に代えて、第２データ線２３０に供給する映像信号を保持するメモリを有する。図９は、第１実施形態の変形例に係る表示装置のメモリ周辺の構成を説明する図である。この変形例では、データ線駆動回路１２０が供給する映像信号は、デジタル形式であるものとする。
【００５１】
第２データ線２３０（ｉ）に供給するデータ信号を保持するメモリ、「メモリ２３４（ｉ）」とする。図９には、メモリ２３４（ｉ）のうち、ｉ＝１およびｉ＝２に相当する部分のみが示されている。ｉを用いて一般化して説明すると、メモリ２３４（ｉ）は、クロックドインバータ２３４２、２３４６、およびインバータ２３４４を備える。ＤＥＭＵＸ１がハイレベルであるとき、メモリ２３４（３ｉ−２）のクロックドインバータ２３４２はオンし、クロックドインバータ２３４６はオフする。このため、信号線３１０（ｉ）と第２データ線２３０（３ｉ−２）とが導通する。一方、ＤＥＭＵＸ２およびＤＥＭＵＸ３はローレベルであるため、メモリ２３４（３ｉ−１）およびメモリ２３４（３ｉ）のクロックドインバータ２３４２はオフで、クロックドインバータ２３４６はオンする。このため、信号線３１０（ｉ）と、第２データ線２３０（３ｉ−１）および第２データ線２３０（３ｉ）の各々とは非導通である。
【００５２】
ＤＥＭＵＸ１がハイレベルであるとき、映像信号Ｄ（ｉ）が第２データ線２３０（３ｉ−２）に供給される。このとき、クロックドインバータ２３４６は、インバータ２３４４とともにラッチ回路を構成する。ＤＥＭＵＸ１がローレベルに切り替わると、クロックドインバータ２３４２はオフし、クロックドインバータ２３４６はオンする。このため、信号線３１０（ｉ）からの映像信号Ｄ（ｉ）はメモリ２３４（３ｉ−２）に供給されないが、保持した映像信号Ｉｎ（３ｉ−２）が第２データ線２３０（３ｉ−２）に供給される。
【００５３】
同様に、ＤＥＭＵＸ２がハイレベルになると、メモリ２３４（３ｉ−１）を介して、映像信号Ｄ（ｉ）が第２データ線２３０（３ｉ−１）に供給される。その後、ＤＥＭＵＸ２がローレベルに切り替わると、映像信号Ｄ（ｉ）はメモリ２３４（３ｉ−１）に供給されないが、保持した映像信号Ｉｎ（３ｉ−１）が第２データ線２３０（３ｉ−１）に供給される。ＤＥＭＵＸ３がハイレベルになると、メモリ２３４（３ｉ）を介して、映像信号Ｄ（ｉ）が第２データ線２３０（３ｉ）に供給される。その後、ＤＥＭＵＸ３がローレベルに切り替わると、映像信号Ｄ（ｉ）はメモリ２３４（３ｉ）に供給されないが、保持した映像信号Ｉｎ（３ｉ）が第２データ線２３０（３ｉ）に供給される。
【００５４】
以上説明したとおり、デマルチプレクサ２５０（ｉ）に代えてメモリ２３４（ｉ）が設けられた場合でも、表示装置１は、第１データ線１４０を介して第２データ線２３０に映像信号を供給することができる。
【００５５】
［第３実施形態］
第１表示部１０は、マルチプレクサ１６０を有しなくてもよい。図１０は、この実施形態の第１データ線１４０と第２データ線２３０との接続を説明する図である。本実施形態において、マルチプレクサ１６０（ｉ）に代えて、複数本の第１データ線１４０の１本（図１０では、３本に1本）が、スイッチ１７０の一端と電気的に接続される。スイッチ１７０の他端は、信号線３１０のいずれか１本と電気的に接続されている。具体的には、第１データ線１４０（１）が、スイッチ１７０（１）の一端と電気的に接続され、スイッチ１７０（１）の他端は、信号線３１０（１）と電気的に接続されている。ここで、第１データ線１４０（２）及び１４０（３）は、スイッチ１７０とは電気的に接続されていない。また、第１データ線１４０（４）が、スイッチ１７０（２）の一端と電気的に接続され、スイッチ１７０（２）の他端は、信号線３１０（２）と電気的に接続されている。ここで、第１データ線１４０（５）及び１４０（６）は、スイッチ１７０とは電気的に接続されていない。一般化すると、第１データ線１４０（３ｉ−２）には、スイッチ１７０（ｉ）の一端が電気的に接続されている。スイッチ１７０（ｉ）の他端は、信号線３１０（３ｉ−２）と電気的に接続されている。一方、第１データ線１４０（３ｉ−１）、および第１データ線１４０（３ｉ）は、信号線３１０（ｉ）とは電気的に接続しない。
【００５６】
第１表示部１０の表示を制御する場合、制御基板４０は、スイッチ１７０（ｉ）をすべてオフとする。これにより、第１表示部１０の第１画素１５０を駆動するための映像信号は、第２表示部２０に供給されない。
【００５７】
次に、図１１を用いて、第２表示部２０の表示制御を説明する。制御基板４０は、まず、時刻ｔ３１において、スイッチ１７０（１）をオンする。制御基板４０は、データ線駆動回路１２０に、映像信号Ｉｎ（１）を第１データ線１４０（１）に出力させる。制御基板４０は、時刻ｔ３２において制御信号ＤＥＭＵＸ１をハイレベルに切り替える。この場合、デマルチプレクサ２５０は、信号線３１０（１）から供給された映像信号Ｉｎ（１）を、出力信号Ｏｕｔ（１）として、第２データ線２３０（１）に供給する。そして、制御基板４０は、時刻ｔ３３において制御信号ＤＥＭＵＸ１をローレベルに切り替える。
【００５８】
次に、制御基板４０は、時刻ｔ３４において、データ線駆動回路１２０に、映像信号Ｉｎ（２）を第１データ線１４０（１）に出力させる。制御基板４０は、時刻ｔ３５において制御信号ＤＥＭＵＸ２をハイレベルに切り替える。この場合、デマルチプレクサ２５０は、信号線３１０（１）から供給された映像信号Ｉｎ（２）を、出力信号Ｏｕｔ（２）として、第２データ線２３０（２）に供給する。そして、制御基板４０は、時刻ｔ３６において制御信号ＤＥＭＵＸ２をローレベルに切り替える。
【００５９】
次に、制御基板４０は、時刻ｔ３７において、データ線駆動回路１２０に、映像信号Ｉｎ（３）を第１データ線１４０（１）に出力させる。制御基板４０は、時刻ｔ３８において制御信号ＤＥＭＵＸ３をハイレベルに切り替える。この場合、デマルチプレクサ２５０は、信号線３１０（１）から供給された映像信号Ｉｎ（３）を、出力信号Ｏｕｔ（３）として、第２データ線２３０（３）に供給する。そして、制御基板４０は、時刻ｔ３９において制御信号ＤＥＭＵＸ３をローレベルに切り替える。
【００６０】
次に、制御基板４０は、時刻ｔ４０において、スイッチ１７０（１）をオフし、スイッチ１７０（２）をオンする。制御基板４０は、データ線駆動回路１２０に、映像信号Ｉｎ（４）を第１データ線１４０（４）に出力させる。制御基板４０は、時刻ｔ４１において制御信号ＤＥＭＵＸ１をハイレベルに切り替える。この場合、デマルチプレクサ２５０は、信号線３１０（２）から供給された映像信号Ｉｎ（４）を、出力信号Ｏｕｔ（４）として、第２データ線２３０（４）に供給する。そして、制御基板４０は、時刻ｔ４２において制御信号ＤＥＭＵＸ１をローレベルに切り替える。
【００６１】
次に、制御基板４０は、時刻ｔ４３において、データ線駆動回路１２０に、映像信号Ｉｎ（５）を第１データ線１４０（４）に出力させる。制御基板４０は、時刻ｔ４４において制御信号ＤＥＭＵＸ２をハイレベルに切り替える。この場合、デマルチプレクサ２５０は、信号線３１０（２）から供給された映像信号Ｉｎ（５）を、出力信号Ｏｕｔ（５）として、第２データ線２３０（５）に供給する。そして、制御基板４０は、時刻ｔ４５において制御信号ＤＥＭＵＸ２をローレベルに切り替える。
【００６２】
次に、制御基板４０は、時刻ｔ４６において、データ線駆動回路１２０に、映像信号Ｉｎ（６）を第１データ線１４０（４）に出力させる。制御基板４０は、時刻ｔ４７において制御信号ＤＥＭＵＸ３をハイレベルに切り替える。この場合、デマルチプレクサ２５０は、信号線３１０（２）から供給された映像信号Ｉｎ（６）を、出力信号Ｏｕｔ（６）として、第２データ線２３０（６）に供給する。そして、制御基板４０は、時刻ｔ４８において制御信号ＤＥＭＵＸ３をローレベルに切り替える。制御基板４０は、時刻ｔ４９においてスイッチ１７０（２）をオフし、スイッチ１７０（３）をオンする。
【００６３】
以降においても、制御基板４０は、スイッチ１７０（ｉ）が接続された第１データ線１４０を選択して、第２データ線２３０（３ｉ−２）、第２データ線２３０（３ｉ−１）、第２データ線２３０（３ｉ）の各々に供給すべきデータ信号を順次供給する。また、制御基板４０は、１本の第２走査線２２０についての表示制御が完了すると、別の第２走査線２２０を選択して上記表示制御を行う。
【００６４】
以上説明した第３実施形態によれば、表示装置１がマルチプレクサ１６０を有しなくとも、第１表示領域１０２と第２表示領域２０２とでデータ線駆動回路１２０が共用される。これ以外にも、本実施形態の表示装置によれば、上述した第１実施形態と同様の効果を奏する。なお、第３実施形態では、第１データ線１４０（３ｉ−２）を介して第２表示部２０に映像信号が供給されていたが、第１データ線１４０（３ｉ−１）または第１データ線１４０（３ｉ）を介して第２表示部２０に映像信号が供給されてもよい。
【００６５】
［第４実施形態］
表示装置は表示領域を３つ以上有してもよい。図１２は、本実施形態に係る表示装置１Ａの電気的な構成を示す図である。表示装置１Ａは、第１表示部１０Ａと、第２表示部２０と、第３表示部８０と、を有する。第１表示部１０Ａ、第２表示部２０、および第３表示部８０は、基板６０の上に形成されている。第３表示部８０は、第３表示領域８０２に画像を表示する。なお、図１２では、図面が煩雑になるのを防ぐため、制御基板４０、ＦＰＣ５０およびこれらと電気的に接続される信号線の図示を省略している。
【００６６】
第１表示部１０Ａにおいて、複数の第１データ線１４０のマルチプレクサ１６０が設けられた側の一端に対する他端は、マルチプレクサ１９０と電気的に接続されている。マルチプレクサ１９０は、マルチプレクサ１６０と同様、Ｍ本の第１データ線１４０（第１信号線）に対応して設けられている。マルチプレクサ１９０は、マルチプレクサ１６０と同様、Ｍ個のスイッチを含んで構成される。
【００６７】
また、第１表示領域１０２を挟んで接続部３０の反対側には、第２接続部９０が設けられている。第２接続部９０は、第２領域６０４の上に形成されている。第２領域６０４は、第１領域６０２と同様、外力に応じて変形可能な領域である。第１領域６０２および第２領域６０４は、第１表示領域１０２を挟む。第２接続部９０は、複数の信号線９１０（第５信号線）を含む。信号線９１０の数は、第１表示部１０が有する第１データ線１４０の数の１／３である。すなわち、第２接続部９０における配線密度は、第１表示領域１０２における配線密度よりも低い。
【００６８】
マルチプレクサ１９０は、Ｍ本の第１データ線１４０と、第２接続部９０に含まれる複数の信号線９１０のいずれか１本の信号線９１０とを電気的に接続させる。
【００６９】
第３表示部８０は、第３走査線駆動回路８１０と、複数の第３走査線８２０と、複数の第３データ線８３０と、複数の第３画素８４０と、複数のデマルチプレクサ８５０と、を含む。第３走査線駆動回路８１０と、複数の第３走査線８２０と、複数の第３データ線８３０と、複数の第３画素８４０と、複数のデマルチプレクサ８５０の各要素の機能および接続関係は、第２表示部２０の同名の要素の機能および接続関係と同じでよい。
【００７０】
第３走査線駆動回路８１０は、第１走査線駆動回路１１０および第２走査線駆動回路２１０とは異なるタイミングに、第３走査線８２０を選択する。第３走査線駆動回路８１０は、例えば、第２走査線駆動回路２１０によってすべての第２走査線２２０が選択された後、複数本の第３走査線８２０を順番に選択し、選択した第３走査線８２０に走査信号を供給する。第２走査線駆動回路２１０は、例えば、信号線３４０を介して、すべての第２走査線２２０を選択したタイミングで所定の信号を出力する。第３走査線駆動回路８１０は、この信号を受けたことを契機として、第３走査線８２０の選択を開始する。また、第３表示部８０の第３データ線８３０に供給されるべき映像信号は、第１データ線１４０、マルチプレクサ１９０、信号線３３０、およびデマルチプレクサ８５０を介して供給される。
【００７１】
デマルチプレクサ８５０は、Ｌ本（Ｌは２以上の自然数）の第３データ線８３０（第４信号線）ごとに設けられている。デマルチプレクサ８５０は、第２接続部９０の信号線９１０を選択的にＬ本の第３データ線８３０と電気的に接続させる第２接続制御回路である。本実施形態では、Ｌ＝３である。このため、第２接続部９０における信号線９１０の数は、第３表示部８０が有する第３データ線８３０の数の１／３である。すなわち、第２領域６０４における配線密度は、第３表示領域８０２における配線密度よりも低い。
【００７２】
制御基板４０は、第２表示部２０にデータ信号を供給するときは、デマルチプレクサ８５０のすべてのスイッチをオフして、上述した第２実施形態と同様の駆動を行う。一方、制御基板４０は、第３表示部８０にデータ信号を供給するときは、デマルチプレクサ２５０のすべてのスイッチをオフして、第２表示部２０と同様の駆動を行えばよい。この変形例によれば、表示部が３つ存在するので、表示装置が提示することのできる情報の量がさらに増大する。
【００７３】
［変形例］
上述した実施形態は、互いに組み合わせたり、置換したりして適用することが可能である。また、上述した実施形態では、以下の通り変形して実施することも可能である。
【００７４】
信号線３１０は、以下のように変形されてもよい。図１３に示すように、信号線３１０に代えて、第１データ線１４０または第２データ線２３０よりもＸ方向に幅広の信号線３１０Ａが用いられてもよい。信号線３１０Ａは第１データ線１４０または第２データ線２３０よりも幅広なので、第１領域６０２における配線密度が高くなる。よって、第１領域６０２における断線や接続不良が起こりにくくなり、電気的な不具合は発生しにくくなる。
【００７５】
図１４に示すように、信号線３１０に代えて、第１領域６０２のＹ方向における幅よりも長い信号線３１０Ｂが用いられてもよい。ここでは、信号線３１０Ｂは、Ｘ方向およびＹ方向に交差する方向に延在する部分を複数有する。図１４の例では、信号線３１０Ｂは、ジグザグ形状であるが、これに限られない。この変形例によれば、第１領域６０２における配線密度が高くなる。よって、第１領域６０２における断線や接続不良が起こりにくくなり、電気的な不具合は発生しにくくなる。
【００７６】
図１５に示すように、信号線３１０に代えて、第１部分３１２と、第１部分３１２に並列接続した第２部分３１４を有する信号線３１０Ｃが用いられてもよい。ここでは、第１部分３１２と第２部分３１４とは同じ幅であるが、これに限られない。この変形例によれば、第１領域６０２における配線密度が高くなる。これにより、接続部３０における断線や接続不良が起こりにくくなる。よって、第１領域６０２における断線や接続不良が起こりにくくなり、電気的な不具合は発生しにくくなる。なお、図１３〜１５で説明した信号線の構成は、上述した第２実施形態および第３実施形態の表示装置にも適用できる。
【００７７】
上述した実施形態では、単一のデータ線駆動回路１２０が、第１データ線１４０および第２データ線２３０を駆動する場合を説明した。これに代えて、単一の走査線駆動回路が、第１走査線１３０および第２走査線２２０を駆動する構成としてもよい。この場合、第１走査線１３０が本開示の第１信号線、第２走査線２２０が本開示の第２信号線に対応する。
【００７８】
本開示の表示装置は、腕時計型またはリストバンド型の表示装置でなくてもよい。例えば、本開示の表示装置は、接続部３０の位置で折り畳み可能な表示装置であってもよい。本開示の表示装置は、第１表示領域と第２表示領域との間に外力に応じて変形可能な領域を有し、該領域においては第１表示領域および第２表示領域よりも配線密度が低ければよい。
【００７９】
上述した各実施形態では、スイッチはｎチャンネル型のトランジスタであったが、ｐチャンネル型のトランジスタ、ｎチャンネル型のトランジスタおよびｐチャンネル型のトランジスタ、またはそれ以外の素子であってもよい。また、スイッチを構成する素子に応じて、当該スイッチをオンまたはオフするための制御信号が異なる。
【００８０】
また、上述した実施形態では、Ｍ，Ｎ，Ｌの各値が３であったが、２または４以上であってもよい。また、Ｍ，Ｎ，Ｌの一部または全部の値が異なっていてもよい。また、上述した第１〜第４実施形態で説明した各構成は適宜組み合わされてもよい。
【００８１】
上述した実施形態においては、開示例として有機ＥＬ表示装置の場合を例示したが、その他の適用例として、液晶表示装置、その他の自発光型の表示装置が挙げられる。
【００８２】
なお、本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００８３】
１，１Ａ：表示装置、１０，１０Ａ：第１表示部、１５：ベゼル、２０：第２表示部、３０：接続部、４０：制御基板、５０：ＦＰＣ、６０：基板、７０：装着部、８０：第３表示部、９０：第２接続部、１０２：第１表示領域、１１０：第１走査線駆動回路、１２０：データ線駆動回路、１３０：第１走査線、１４０：第１データ線、１５０：第１画素、１５２：発光素子、１５４：画素ＴＦＴ、１５６：駆動ＴＦＴ、１５８：保持容量、１６０：マルチプレクサ、１６２：スイッチ、１９０：マルチプレクサ、２０２：第２表示領域、２１０：第２走査線駆動回路、２２０：第２走査線、２３０：第２データ線、２３２：寄生容量、２３４：メモリ、２４０：第２画素、２５０：デマルチプレクサ、２５２：スイッチ、３０２：トランジスタ、３１０，３１０Ａ，３１０Ｂ，３１０Ｃ，３２０，３３０，３４０：信号線、３１２：第１部分、３１４：第２部分、４０２：トランジスタ、６０２：第１領域、６０４：第２領域、８１０：第３走査線駆動回路、８２０：第３走査線、８３０：第３データ線、８４０：第３画素、８５０：デマルチプレクサ、９１０：信号線
【図１】
2020024332.tif 000003
【図２】
2020024332.tif 000004
【図３】
2020024332.tif 000005
【図４】
2020024332.tif 000006
【図５】
2020024332.tif 000007
【図６】
2020024332.tif 000008
【図７】
2020024332.tif 000009
【図８】
2020024332.tif 000010
【図９】
2020024332.tif 000011
【図１０】
2020024332.tif 000012
【図１１】
2020024332.tif 000013
【図１２】
2020024332.tif 000014
【図１３】
2020024332.tif 000015
【図１４】
2020024332.tif 000016
【図１５】
2020024332.tif 000017